(57)【要約】【課題】光学的異方性を有する絵柄が印刷された化粧シートを製造することが可能な化粧シートの製造方法を提供する。【解決手段】光学的異方性を有する絵柄を表面に備えたサンプル１を異なる複数の条件下で撮影する撮影工程と、撮影工程で得られた複数の画像データを解析して、サンプル１の絵柄を再現した再現絵柄を生成するとともに、条溝７からなり該再現絵柄に光学的異方性を発現させるための万線５を生成する解析工程と、解析工程で生成した再現絵柄及び万線５を表面に形成して化粧シート６を製造する化粧シート製造工程と、を備える化粧シートの製造方法によって、化粧シート６を製造する。【選択図】図２
2017159623.tif 000002
【特許請求の範囲】
【請求項１】
光学的異方性を有する絵柄を表面に備えたサンプルを異なる複数の条件下で撮影する撮影工程と、
前記撮影工程で得られた複数の画像データを解析して、前記サンプルの絵柄を再現した再現絵柄を生成するとともに、条溝からなり該再現絵柄に光学的異方性を発現させるための万線を生成する解析工程と、
前記解析工程で生成した再現絵柄及び万線を表面に形成して化粧シートを製造する化粧シート製造工程と、
を備え、
前記撮影工程においては、下記の手段Ａ、手段Ｂ、又は手段Ｃによって前記複数の画像データを得る化粧シートの製造方法。
手段Ａ：前記サンプルを撮影する撮影方向を複数設定し、前記サンプルに一の照射方向から照明光を照射する照明条件下で、設定した前記複数の撮影方向のそれぞれから前記サンプルを撮影して、前記複数の画像データを得る。
手段Ｂ：照明光の照射方向を複数設定し、設定した前記複数の照射方向のそれぞれについて、その照射方向から前記サンプルに照明光を照射する照明条件下で、一の撮影方向から前記サンプルを撮影して、各照射方向についてそれぞれ１つの画像データを得ることにより、前記複数の画像データを得る。
手段Ｃ：前記サンプルを撮影する撮影方向と照明光の照射方向とをそれぞれ複数設定し、設定した前記複数の照射方向のそれぞれについて、その照射方向から前記サンプルに照明光を照射する照明条件下で、設定した前記複数の撮影方向のそれぞれから前記サンプルを撮影して、各照射方向についてそれぞれ複数の画像データを得る。
【請求項２】
前記解析工程においては、前記各画像データを構成する個々の画素について、それぞれ対応する位置にある画素の画素値の差分を算出し、これらの差分から前記万線を生成する請求項１に記載の化粧シートの製造方法。
【請求項３】
前記撮影工程においては、前記サンプルに照明光を照射する照明装置と前記サンプルを撮影する撮影装置とを前記サンプルの周囲にそれぞれ旋回させ、前記照明装置が所定の旋回角度位置において前記サンプルに照明光を照射することにより前記照射方向が決定され、前記撮影装置が所定の旋回角度位置において前記サンプルを撮影することにより前記撮影方向が決定されるようになっており、
前記解析工程においては、前記複数の画像データのうち輝度が最大である最大輝度画像データを選択し、この最大輝度画像データを撮影した際の前記照明装置又は前記撮影装置の旋回角度位置の角度である最大輝度角度に基づいて、前記化粧シートの表面における前記万線が延びる方向の角度を決定する請求項１又は請求項２に記載の化粧シートの製造方法。
【請求項４】
前記解析工程においては、前記化粧シートの表面における前記万線が延びる方向の角度を、前記最大輝度角度に対して直交する角度に決定する請求項３に記載の化粧シートの製造方法。
【発明の詳細な説明】
【技術分野】
【０００１】
本発明は化粧シートの製造方法に関する。
【背景技術】
【０００２】
壁紙、床材等の建材の表面装飾や家具の表面装飾の模様として、木目柄パターンが用いられる。木目柄パターンが印刷された化粧シートを製造する場合は、天然木の切断面をカメラ等の撮影装置で撮影し、得られた画像データに基づいてチタン紙に木目柄パターンを印刷する。そして、天然木の切断面を撮影装置で撮影する際には、１つの照明装置を用いて１つの方向から天然木の切断面に照明光を照射し、１つの撮影装置で１つの方向から天然木の切断面を撮影して、１つの画像データを得る。
しかしながら、天然木の切断面は光学的異方性を有しているため、同一の天然木の切断面を撮影した場合であっても、照明光の照射方向又は撮影装置の撮影方向が異なると、異なる画像データが得られる場合がある。したがって、上記のようにして得られた１つの画像データから、光学的異方性を有する天然木の切断面を再現した木目柄パターンの化粧シートを製造することは、容易ではなかった。
【先行技術文献】
【特許文献】
【０００３】
【特許文献１】特許第４６９８２２９号公報
【発明の概要】
【発明が解決しようとする課題】
【０００４】
そこで、本発明は上記のような従来技術が有する問題点を解決し、光学的異方性を有する絵柄が印刷された化粧シートを製造することが可能な化粧シートの製造方法を提供することを課題とする。
【課題を解決するための手段】
【０００５】
前記課題を解決するため、本発明の一態様に係る化粧シートの製造方法は、光学的異方性を有する絵柄を表面に備えたサンプルを異なる複数の条件下で撮影する撮影工程と、撮影工程で得られた複数の画像データを解析して、サンプルの絵柄を再現した再現絵柄を生成するとともに、条溝からなり該再現絵柄に光学的異方性を発現させるための万線を生成する解析工程と、解析工程で生成した再現絵柄及び万線を表面に形成して化粧シートを製造する化粧シート製造工程と、を備え、撮影工程においては、下記の手段Ａ、手段Ｂ、又は手段Ｃによって複数の画像データを得ることを要旨とする。
【０００６】
手段Ａ：サンプルを撮影する撮影方向を複数設定し、サンプルに一の照射方向から照明光を照射する照明条件下で、設定した複数の撮影方向のそれぞれからサンプルを撮影して、複数の画像データを得る。
手段Ｂ：照明光の照射方向を複数設定し、設定した複数の照射方向のそれぞれについて、その照射方向からサンプルに照明光を照射する照明条件下で、一の撮影方向からサンプルを撮影して、各照射方向についてそれぞれ１つの画像データを得ることにより、複数の画像データを得る。
手段Ｃ：サンプルを撮影する撮影方向と照明光の照射方向とをそれぞれ複数設定し、設定した複数の照射方向のそれぞれについて、その照射方向からサンプルに照明光を照射する照明条件下で、設定した複数の撮影方向のそれぞれからサンプルを撮影して、各照射方向についてそれぞれ複数の画像データを得る。
【発明の効果】
【０００７】
本発明によれば、光学的異方性を有する絵柄が印刷された化粧シートを製造することが可能である。
【図面の簡単な説明】
【０００８】
【図１】本発明の一実施形態に係る化粧シートの製造方法を説明する図である。
【図２】化粧シートの表面における万線が延びる方向の角度を説明する図である。
【図３】化粧シートの表面に形成された条溝を説明する図である。
【発明を実施するための形態】
【０００９】
本発明の一実施形態について、図面を参照しながら以下に説明する。本実施形態の化粧シートの製造方法は、天然木の切断面等のような光学的異方性（照明光の照射方向や撮影方向の違いによって、得られる画像データの内容が異なるものとなる性質）を有する絵柄を表面に備えたサンプルを撮影して、サンプルの絵柄を再現した光学的異方性を有する再現絵柄が印刷された化粧シートを製造する方法である。
【００１０】
この化粧シートの製造方法は、光学的異方性を有する絵柄を表面に備えたサンプルを異なる複数の条件下で撮影する撮影工程と、撮影工程で得られた複数の画像データを解析して、サンプルの絵柄を再現した再現絵柄を生成するとともに、条溝からなり該再現絵柄に光学的異方性を発現させるための万線を生成する解析工程と、解析工程で生成した再現絵柄及び万線を表面に形成して化粧シートを製造する化粧シート製造工程と、を備える。
【００１１】
撮影工程においては、下記の手段Ａ、手段Ｂ、又は手段Ｃによって、異なる複数の条件下でサンプルを撮影した複数の画像データを得る。
手段Ａ：サンプルを撮影する撮影方向を複数設定し、サンプルに一の照射方向から照明光を照射する照明条件下で、設定した複数の撮影方向のそれぞれからサンプルを撮影して、複数の画像データを得る。
この手段Ａでは、照明光の照射方向は全て同一であるが、撮影方向が異なるため、複数の条件下で撮影した複数の画像データが得られる。なお、複数の撮影方向のうち一つが照明光の照射方向と同一方向であってもよいし、複数の撮影方向の全てが照明光の照射方向とは異なる方向であってもよい。
【００１２】
手段Ｂ：照明光の照射方向を複数設定し、設定した複数の照射方向のそれぞれについて、その照射方向からサンプルに照明光を照射する照明条件下で、一の撮影方向からサンプルを撮影して、各照射方向についてそれぞれ１つの画像データを得ることにより、複数の画像データを得る。
この手段Ｂでは、撮影方向は全て同一であるが、照明光の照射方向が異なるため、複数の条件下で撮影した複数の画像データが得られる。なお、複数の照射方向のうち一つが撮影方向と同一方向であってもよいし、複数の照射方向の全てが撮影方向とは異なる方向であってもよい。
【００１３】
手段Ｃ：サンプルを撮影する撮影方向と照明光の照射方向とをそれぞれ複数設定し、設定した複数の照射方向のそれぞれについて、その照射方向からサンプルに照明光を照射する照明条件下で、設定した複数の撮影方向のそれぞれからサンプルを撮影して、各照射方向についてそれぞれ複数の画像データを得る。
この手段Ｃでは、照明光の照射方向及び撮影方向がそれぞれ複数設定されるため、照明光の照射方向と撮影方向が種々異なる複数の画像データが得られる。照明光の照射方向と撮影方向とは、その一部又は全部が同一方向であってもよいし、その全部が異なる方向であってもよい。
【００１４】
これらの手段のうちいずれかで複数の画像データを得て、得られた複数の画像データを解析すれば、サンプルの絵柄を再現した光学的異方性を有する再現絵柄が印刷された化粧シートを製造することが可能である。天然木の切断面を撮影することによって、天然木の切断面の木目柄パターンに近い（擬似的な）木目柄パターンを得ることができるので、天然木の切断面の木目柄パターンに近い木目柄パターンを印刷した化粧シートを作製することができる。そして、その化粧シートを、壁材、床材等の建材の表面装飾や家具の表面装飾に用いることができる。なお、画像データの数は、複数であれば特に限定されるものではないが、３個以上が好ましい。
【００１５】
以下に、本実施形態に係る化粧シートの製造方法について、図１〜３を参照しながらさらに具体的に説明する。図１〜３においては、サンプル１は、天然木を切断した板材であり、その表面（切断面）は光学的異方性を有する。図１に示すように、照明装置２を用いてサンプル１の表面に照明光を照射し、サンプル１の表面によって反射された照明光の反射光を撮影装置３で撮影して、画像データを得る。
このとき、撮影工程において手段Ａを採用する場合であれば、照明装置２の位置を固定して、サンプル１に一の照射方向から照明光が照射されるようにする。そして、複数の撮影装置３を種々の位置に設置するか、又は、１つの撮影装置３の位置を変化させることにより、複数の撮影方向のそれぞれからサンプル１の撮影を行って、複数の条件下で撮影した複数の画像データを得る。
【００１６】
また、撮影工程において手段Ｂを採用する場合であれば、撮影装置３の位置を固定して、一の撮影方向からサンプル１の撮影が行われるようにする。また、複数の照明装置２を種々の位置に設置するか、又は、１つの照明装置２の位置を変化させることにより、サンプル１に複数の照射方向から照明光を照射できるようにする。そして、照明光の照射方向を変化させることにより照明条件を変化させつつ、それぞれの照明条件で一の撮影方向からサンプル１の撮影を行って、複数の条件下で撮影した複数の画像データを得る。
【００１７】
さらに、撮影工程において手段Ｃを採用する場合であれば、複数の照明装置２を種々の位置に設置するか、又は、１つの照明装置２の位置を変化させることにより、サンプル１に複数の照射方向から照明光を照射できるようにする。また、複数の撮影装置３を種々の位置に設置するか、又は、１つの撮影装置３の位置を変化させることにより、複数の撮影方向のそれぞれからサンプル１の撮影を行えるようにする。そして、照明光の照射方向を変化させることにより照明条件を変化させつつ、それぞれの照明条件で複数の撮影方向のそれぞれからサンプル１の撮影を行って、複数の条件下で撮影した複数の画像データを得る。
【００１８】
撮影工程において手段Ａ又は手段Ｃを採用した本実施形態に係る化粧シートの製造方法において、１つの撮影装置３の位置を変化させる場合には、１つの撮影装置３をサンプル１の周囲に旋回させることにより、複数の旋回角度位置においてサンプル１を撮影することができる。
サンプル１を撮影する撮影装置３の旋回角度位置は、特に限定されるものではないが、以下の条件Ａ〜Ｆのうちいずれかを満たす旋回角度位置としてもよい。
条件Ａ：０°の位置と０°超過３６０°未満の位置
条件Ｂ：０°、９０°、１８０°の各位置
条件Ｃ：０°、４５°、９０°、１３５°、１８０°の各位置
条件Ｄ：０°、３０°、６０°、９０°、１２０°、１５０°、１８０°の各位置
条件Ｅ：０°、１５°、３０°、４５°、６０°、７５°、９０°、１０５°、１２０°、１３５°、１５０°、１６５°、１８０°の各位置
条件Ｆ：０°、１０°、２０°、３０°、４０°、５０°、６０°、７０°、８０°、９０°、１００°、１１０°、１２０°、１３０°、１４０°、１５０°、１６０°、１７０°、１８０°の各位置
【００１９】
例えば条件Ａであれば、０°の位置は第１回目にサンプル１を撮影する旋回角度位置であり、その後に撮影装置３を０°超過３６０°未満の範囲内の任意の角度だけ旋回させて、その旋回角度位置で第２回目の撮影を行うことを意味する。
また、例えば条件Ｂであれば、０°の位置は第１回目にサンプル１を撮影する旋回角度位置であり、その後に撮影装置３を９０°旋回させて９０°の旋回角度位置で第２回目の撮影を行い、さらにその後に撮影装置３を９０°旋回させて１８０°の旋回角度位置で第３回目の撮影を行うことを意味する。
【００２０】
撮影工程において手段Ｂ又は手段Ｃを採用した本実施形態に係る化粧シートの製造方法において、１つの照明装置２の位置を変化させる場合には、１つの照明装置２をサンプル１の周囲に旋回させることにより、複数の旋回角度位置においてサンプル１に照明光を照射することができる。サンプル１に照明光を照射する照明装置２の旋回角度位置は、特に限定されるものではないが、撮影装置３の場合と同様に、上記の条件Ａ〜Ｆのうちいずれかを満たす旋回角度位置としてもよい。
【００２１】
図示はしないが、例えば、サンプル１を挟んで対向する位置に照明装置２と撮影装置３を配置し、この位置（０°の位置）でサンプル１に照明光を照射しつつ第１回目の撮影を行う。そして、その後に、サンプル１を挟んで対向する位置関係を維持したまま照明装置２と撮影装置３をともに同方向に９０°旋回させ、その位置（９０°の位置）でサンプル１に照明光を照射しつつ第２回目の撮影を行う。
【００２２】
さらに、撮影工程において手段Ａ、手段Ｂ、又は手段Ｃを採用した本実施形態に係る化粧シートの製造方法において、照明装置２及び撮影装置３のサンプル１からの高度位置は、特に限定されるものではない。すなわち、サンプル１（サンプル１の表面のうちの撮影箇所）から照明装置２を見た場合の仰角は０°以上９０°以下とすることができる。また、サンプル１（サンプル１の表面のうちの撮影箇所）から撮影装置３を見た場合の仰角は０°以上９０°以下とすることができる。
【００２３】
次に、このようにして撮影工程で得られた複数の画像データを解析工程において解析することにより、サンプル１の絵柄を再現した再現絵柄を生成するとともに、条溝７からなり該再現絵柄に光学的異方性を発現させるための万線５を生成する。解析工程における解析方法は、特に限定されるものではない。例えば、各画像データを構成する個々の画素について、それぞれ対応する位置にある画素の画素値の差分を算出し、これらの差分から万線５を生成してもよい。このような解析方法により万線５を生成すれば、サンプル１の絵柄の光学的異方性をより詳細に再現することができる。
【００２４】
また、解析工程においては、撮影工程で得られた複数の画像データの全部を解析に用いてもよいが、複数の画像データのうち一部の画像データを選択して解析に用いてもよい。例えば、複数の画像データのうち輝度が最大である最大輝度画像データを選択して解析に用いてもよい。
前述したように、撮影工程においては、サンプル１に照明光を照射する照明装置２とサンプル１を撮影する撮影装置３とをサンプル１の周囲にそれぞれ旋回させ、照明装置２が所定の旋回角度位置においてサンプル１に照明光を照射することにより照射方向が決定され、撮影装置３が所定の旋回角度位置においてサンプル１を撮影することにより撮影方向が決定されるようになっている。
【００２５】
このとき、得られた複数の画像データのうち輝度が最大である最大輝度画像データを選択し、この最大輝度画像データを撮影した際の照明装置２又は撮影装置３の旋回角度位置の角度である最大輝度角度に基づいて、化粧シート６の表面における万線５が延びる方向の角度を決定するとよい。そうすれば、得られた画像データの単純な比較のみで、サンプル１の絵柄の光学的異方性をより詳細に再現することができる。
【００２６】
さらに、最大輝度角度に基づいて化粧シート６の表面における万線５が延びる方向の角度を決定する際には、図２に示すように、化粧シート６の表面における万線５が延びる方向の角度を、最大輝度角度に対して直交する角度に決定するとよい。そうすれば、単純な解析によって、サンプル１の絵柄の光学的異方性をより詳細に再現することができる。図２には、最大輝度画像データを撮影した際の照明装置２及び撮影装置３（旋回角度位置）が図示されており、その旋回角度位置の角度（最大輝度角度）を０°としている。そして、図２には、表面に万線５が形成された化粧シート６が図示されており、この万線５は、最大輝度角度に対して直交する角度（９０°）をなす方向に延びている。
【００２７】
次に、化粧シート製造工程において、解析工程で生成した再現絵柄及び万線５を表面に形成して化粧シート６を製造する。図３に示すように、化粧シート６の表面に条溝７を設けて万線５を形成した後に、万線５が形成された表面に再現絵柄を印刷してもよいし、化粧シート６の表面に再現絵柄を印刷した後に、再現絵柄を印刷した表面に条溝７を設けて万線５を形成してもよい。あるいは、化粧シート６の表面に再現絵柄を印刷した後に、条溝からなる万線を表面に形成した透明シートを、再現絵柄を印刷した化粧シート６の表面に積層してもよい。
【００２８】
化粧シート６の表面に条溝７からなる万線５が形成されているため、化粧シート６の表面に照射された照明光は種々の方向へ拡散して反射し、反射光の強度は観察方向（撮影方向）によって異なることとなる。よって、サンプル１の絵柄を再現した光学的異方性を有する再現絵柄が印刷された化粧シート６を得ることができる。
なお、本実施形態は本発明の一例を示したものであって、本発明は本実施形態に限定されるものではない。また、本実施形態には種々の変更又は改良を加えることが可能であり、その様な変更又は改良を加えた形態も本発明に含まれ得る。
例えば、本実施形態においては、天然木を切断した板材をサンプルとして用いたが、光学的異方性を有する絵柄を表面を備えるものであれば、どのようなものであってもサンプルとして用いることができる。
【００２９】
また、照明装置２や撮影装置３の種類は特に限定されるものではなく、照明装置２として例えば可視光照明装置、紫外線照明装置、赤外線照明装置を使用することができるし、撮影装置３として例えばＣＣＤカメラを使用することができる。
さらに、化粧シートの種類は特に限定されるものではなく、例えば、ポリエチレンテレフタレート、ポリブチレンテレフタレート等の樹脂を含有するフィルム又はシートを基材とする化粧シートや、チタン紙を基材とする化粧シートがあげられる。
【符号の説明】
【００３０】
１      サンプル
２      照明装置
３      撮影装置
５      万線
６      化粧シート
７      条溝
【図１】
2017159623.tif 000003
【図２】
2017159623.tif 000004
【図３】
2017159623.tif 000005